(57)【要約】【課題】比較的簡易な構成で、電気的接続部分の接続作業を容易、かつ、確実に行えるようにする。【解決手段】回路基板４に取着された基板側コネクタ２８は、回路基板４と共にモータカバー２１にねじ止めされる一方、基板カバー２２には、基板側コネクタ２８と嵌合するカバー側コネクタ２９と、カバー側コネクタ２９と接続された外部コネクタ接続部３０とが一体成形により設けられており、モータカバー２１と基板カバー２２の嵌合組み付けと同時に基板側コネクタ２８とカバー側コネクタ２９とが嵌合し、外部コネクタ接続部３０へ図示されない外部のコネクタを接続することで外部からの電源及び信号の供給が可能となっている。【選択図】図６
2005261087.tif 000002
【特許請求の範囲】
【請求項１】
回路基板を収納保持すると共に、ロータを回転可能に支持するよう構成されてなるケーシングを具備してなるブラシレスモータであって、
前記ケーシングは、第１のケース部材と第２のケース部材とが、当該第１及び第２のケース部材の間に前記回路基板が収納保持されるように相互に嵌合されてなり、
前記第１のケース部材には、前記回路基板が取着されると共に、前記回路基板と外部との電気的接続を行うための第１のコネクタが取着される一方、
前記第２のケース部材には、前記第１のコネクタと嵌合する第２のコネクタが一体成型されて設けられてなることを特徴とするブラシレスモータ。
【請求項２】
第１のコネクタは、回路基板に取着された際に当該回路基板の縁から外側へ突出する部位を有してなる一方、
第２のコネクタは、少なくともプラグターミナルが第２のケース部材に立設されてなり、
前記第１のコネクタの回路基板の縁から外側へ突出する部位には、前記プラグターミナルと嵌合するジャックターミナルが設けられてなることを特徴とする請求項１記載のブラシレスモータ。
【請求項３】
第１のコネクタは、回路基板に取着された際に当該回路基板の縁から外側へ突出する部位を有してなると共に、当該部位には、少なくともプラグターミナルが立設されてなる一方、
第２のコネクタは、前記プラグターミナルが嵌合するジャックターミナルがコネクタハウジングと共に第２のケース部材に一体成形されてなることを特徴とする請求項１記載のブラシレスモータ。
【請求項４】
第２のコネクタは、プラグターミナルと共にガイド突起が第２のケース部材に立設されてなる一方、
第１のコネクタには、前記ガイド突起が嵌挿されるガイド溝が形成されてなることを特徴とする請求項２記載のブラシレスモータ。
【請求項５】
第１のコネクタは、プラグターミナルと共にガイド突起が立設されてなる一方、
第２のコネクタは、前記ガイド突起が嵌挿されるガイド溝が形成されてなることを特徴とする請求項３記載のブラシレスモータ。
【請求項６】
第１のコネクタは、回路基板に取着された際に当該回路基板の縁から外側へ突出する部位を有してなる一方、
第２のコネクタは、プラグターミナルが立設されると共に、前記プラグターミナルの周囲に周壁が立設されてなり、
前記第１のコネクタの回路基板の縁から外側へ突出する部位は、前記周壁の内側に嵌合するように形成されると共に、当該部位には前記プラグターミナルに嵌合するジャックターミナルが設けられてなることを特徴とする請求項１記載のブラシレスモータ。
【請求項７】
第１のコネクタは、プラグターミナルが立設されると共に、前記プラグターミナルの周囲に周壁が立設されてなる一方、
第２のコネクタには、前記周壁の内側に嵌合するハウジングが形成されると共に、当該ハウジングには前記プラグターミナルに嵌合するジャックターミナルが設けられてなることを特徴とする請求項１記載のブラシレスモータ。
【請求項８】
周壁は、一部に開放部分を有するように形成されてなることを特徴とする請求項６又は請求項７記載のブラシレスモータ。
【請求項９】
周壁は、環状に形成されてなることを特徴とする請求項６又は請求項７記載のブラシレスモータ。
【請求項１０】
第２のケース部材には、第２のコネクタと接続されて、かつ、外部のコネクタと嵌合される第３のコネクタが一体成型されてなることを特徴とする請求項１乃至請求項９のいずれかに記載のブラシレスモータ。
【発明の詳細な説明】
【技術分野】
【０００１】
本発明は、ブラシレスモータに係り、特に、電気的接続部分の接続作業の簡素化及び容易性の向上、構成の簡素化等を図ったものに関する。
【背景技術】
【０００２】
従来、この種のブラシレスモータとしては、例えば、ケーシング内に、ステータやロータが設けられると共に、回路基板が収納されてなるものが公知・周知となっている（例えば、特許文献１参照）。
この従来のブラシレスモータにおいては、外部回路からの回路基板へ対する電源及び信号の供給は、外部回路と回路基板との間の電気配線の一部をケーシング内へ引き込んで回路基板へ直接半田付けする構成とすることで実現されるようになっている。
【０００３】
【特許文献１】特開平９−１１７０９８号公報
【発明の開示】
【発明が解決しようとする課題】
【０００４】
しかしながら、かかる従来のブラシレスモータにおいては、外部回路と回路基板との間の電気配線の引き込み部分からケーシング内部への防水性を考慮する必要があるため、ケーシングの構造が複雑化し、ブラシレスモータの高価格化を招くという問題がある。さらには、回路基板への電気配線の半田付け作業が必要となるが、このような比較的手間を要する作業は極力少なくて済むのが望ましいという要請に反するだけでなく、ブラシレスモータ全体の組み立て容易性の低下を招くと共に作業時間の増加による価格の上昇を招く等の問題がある。
本発明は、上記実状に鑑みてなされたもので、比較的簡易な構成で、電気的接続部分の接続作業を容易、かつ、確実に行うことができるブラシレスモータを提供するものである。
【課題を解決するための手段】
【０００５】
上記本発明の目的を達成するため、本発明に係るブラシレスモータは、
回路基板を収納保持すると共に、ロータを回転可能に支持するよう構成されてなるケーシングを具備してなるブラシレスモータであって、
前記ケーシングは、第１のケース部材と第２のケース部材とが、当該第１及び第２のケース部材の間に前記回路基板が収納保持されるように相互に嵌合されてなり、
前記第１のケース部材には、前記回路基板が取着されると共に、前記回路基板と外部との電気的接続を行うための第１のコネクタが取着される一方、
前記第２のケース部材には、前記第１のコネクタと嵌合する第２のコネクタが一体成型されて設けられてなるものである。
【発明の効果】
【０００６】
本発明によれば、第１のケー部材と第２のケース部材とを相互に組み付けることによって、回路基板に取着されたコネクタとこれに嵌合する相手方コネクタとの嵌合がなされるので、比較的簡易な構成で、電気的接続部分の接続作業を簡単に終えることができ、従来に比して組み立て作業が容易で、より安価なブラシレスモータを提供することができるという効果を奏するものである。
また、ケース部材の一方にコネクタを一体に設けたので、部品点数の削減ができ、より簡素な構成で安価なブラシレスモータを提供することができるという効果を奏するものである。
【発明を実施するための最良の形態】
【０００７】
以下、本発明の実施の形態について、図１乃至図３１を参照しつつ説明する。
なお、以下に説明する部材、配置等は本発明を限定するものではなく、本発明の趣旨の範囲内で種々改変することができるものである。
最初に、本発明の実施の形態におけるブラシレスモータの全体的な構成について、図１乃至図５を参照しつつ説明する。
本発明の実施の形態におけるブラシレスモータは、ケーシング１に基部が固定されたステータ２と、このステータ２に回転自在に設けられたロータ３と、ステータ２に巻装された励磁コイル７への通電制御を行う回路基板４とに大別されてなるものである（図１参照）。そして、かかる構成を有してなるブラシレスモータは、例えば、車両用空調装置における送風ファン５の回転駆動に用いられ、送風ファン５は、回転軸１２の先端部１２ａに固着されるものとなっている（図１参照）。
【０００８】
本発明の実施の形態におけるステータ２は、積層コア６と、この積層コア６に巻回された励磁コイル７と、上部絶縁カバー８ａ及び下部絶縁カバー兼軸受けホルダ８ｂとを有してなり、ロータ３の内側に配されたものとなっている。
上部絶縁カバー８ａは、中空円筒状に形成された部位１５ａの外周面の適宜な位置に円環状のつば１５ｂが形成されたものとなっており、その中空円筒状に形成された部位１５ａに上部軸受けホルダ９ａが圧入されるようになっている。上部軸受けホルダ９ａは、上部軸受け１０ａを保持すると共に、積層コア６の上部側（図１においてロータ３側）に圧入される円柱状に形成された上部圧入部１４ａが設けられたものとなっている。
【０００９】
一方、下部絶縁カバー兼軸受けホルダ８ｂは、積層コア６の下部側（図１においてケーシング１側）において、先の上部絶縁カバー８ａと同様に絶縁カバーとして機能すると共に、下部軸受け１０ｂを収納保持するものとなっている。すなわち、下部絶縁カバー兼軸受けホルダ８ｂは、先の上部絶縁カバ−８ａ同様にほぼ中空筒状に形成された部位１６ａの内部に下部軸受け１０ｂが配設されると共に、この部位１６ａの外周面の適宜な位置に円環状のつば１６ｂが形成されたものとなっている。さらに、部位１６ａのケーシング１と反対側の端部には、積層コア６の下部側に圧入される下部圧入部１４ｂが設けられたものとなっている。
そして、積層コア６は、その上部側の中央部分に上部軸受けホルダ９ａの上部圧入部１４ａが圧入されると共に、下部側の中央部分に下部絶縁カバー兼軸受けホルダ８ｂの下部圧入部１４ｂが圧入されることで、その上下から上部絶縁カバー８ａ及び上部軸受けホルダ９ａと、下部絶縁カバー兼軸受けホルダ８ｂによって挟持されるようにして保持されるものとなっている（図１参照）。
【００１０】
下部絶縁カバー兼軸受けホルダ８ｂは、下部圧入部１４ｂが形成された端部と反対側の端部が、ケーシング１を構成する第１のカバー部材であるモータカバー２１に固着されるようになっている。そして、上部軸受けホルダ９ａ及び下部絶縁カバー兼軸受けホルダ８ｂは、その中央部分が中空状に形成されており、その部分に回転軸１２が挿通されることで、回転軸１２は、上部軸受け１０ａ及び下部軸受け１０ｂによってケーシング１上に回転可能に支持されるようになっている（図１参照）。
【００１１】
ロータ３は、大凡椀側に形成されたヨーク１１を有し、その開放面がケーシング１側に、閉成面が上面を形成するようにして、その閉成面の中央部に穿設された軸通孔１１ａに回転軸１２が挿通されて回転軸１２に固着され、ケーシング１上に保持されるものとなっている。
そして、ヨーク１１の内周面には、複数のマグネット１３が周方向で適宜な間隔を隔てて固着されており、積層コア６の周面と適宜な間隙を介して対面するようになっている（図１参照）。
【００１２】
ケーシング１は、モータカバー２１と基板カバー２２とからなり、特に、本発明の実施の形態におけるケーシング１は、従来と異なり、その内部と外部との通気を図るような通孔などは形成されておらず、密閉容器状に構成されたものとなっている。
第１のケース部材としてのモータカバー２１は、その全体外観平面形状が大凡円盤状に形成されてなるもので（図２参照）、大凡円盤状に形成されたモータカバー基底部２１ａの周縁部分に第１の環状周壁２１ｂが立設されたものとなっている（図１参照）。そして、このモータカバー２１の上面側では、先に説明したようにロータ３が回転可能に支持されたものとなっている（図１及び図３参照）。
【００１３】
第１の環状周壁２１ｂの外周面の適宜な位置には、環状溝２１ｃが凹設されており、この環状溝２１ｃにＯリング２３が嵌め込まれて、第１の環状周壁２１ｂにＯリング２３が巻装されるようになっている。
さらに、モータカバー２１の裏面側、すなわち、ロータ３が回転可能に支持された側と反対側には、回路基板４が図示されない部位でねじ止めされるようになっている。
そして、回路基板４と励磁コイル７とは、導電性部材からなるターミナルバー２４を介して相互に電気的に接続されるようになっている。すなわち、本発明の実施の形態におけるターミナルバー２４は、その一端側が励磁コイル７の接続のためにほぼＵ字状に形成されると共に、このＵ字状の端部の直下は防水ケース２５に埋設されたものとなっている（図１参照）。
【００１４】
本発明の実施の形態における防水ケース２５は、全体が大凡円筒状に形成されており、大径部２５ａと小径部２５ｂとからなり、大径部２５ａは、中空有底筒状に形成され、その部分にターミナルバー２４のＵ字状に形成された端部が位置するようにして、小径部２５ｂの軸方向の長さに相当するターミナルバー２４のＵ字状の端部直下の部位が小径部２５ｂに埋設され、ターミナルバー２４の残る部位は、小径部２５ｂから引き出されるようになっている（図１参照）。
一方、モータカバー２１のモータカバー基底部２１ａの適宜な部位には、中空の嵌合筒状部２６が裏面側へ突出形成されており、この嵌合筒状部２６に防水ケース２５の小径部２５ｂが嵌挿されるものとなっている。なお、小径部２５ｂの外周面には、この部分の水密性を確実とするためにＯリング２７が巻装されている。
【００１５】
防水ケース２５が上述のように嵌合筒状部２６に嵌挿された状態で、ターミナルバー２４のＵ字状の端部には、励磁コイル７の端部が半田付けされ、その後、大径部２５ａの中空部分が接着剤３９で充填されるものとなっており、ターミナルバー２４の他端は、回路基板４に半田付けされるものとなっている（図１参照）。
一方、第２のケース部材としての基板カバー２２は、その底面側からみた全体の外観形状がモータカバー２１同様に、大凡円盤状に形成されてなるもので（図１及び図５参照）、基板カバー基底部２２ａの周縁部分に第２の環状周壁２２ｂが立設されたものとなっている（図１参照）。そして、この第２の環状周壁２２ｂの内径は、先のモータカバー２１の第１の環状周壁２１ｂの外径にほぼ一致したものとなっている（図１参照）。
【００１６】
したがって、モータカバー２１は、その第１の環状周壁２１ｂの外周部分が、基板カバー２２の第２の環状周壁２２ｂの内周面に接合するようにして基板カバー２２に嵌挿されるものとなっている（図１参照）。そして、モータカバー２１と基板カバー２２との間に、収納空間３８が形成されるものとなっている。
回路基板４は、後述する基板側コネクタ２８、カバー側コネクタ２９及び外部コネクタ接続部３０を介して外部からの電源及び駆動信号の供給を受けて、励磁コイル７への通電制御を行う電子回路が構成されたものとなっている。
この回路基板４は、基板側コネクタ２８が次述するように取り付けられた状態で、モータカバー２１に図示されない部位でねじ止めされると共に、基板側コネクタ２８も図示されない部位でモータカバ−２１にねじ止めされるようになっている。
【００１７】
一方、基板カバー２２の基板カバー基底部２２ａには、詳細は後述するが基板側コネクタ２８と嵌合するカバー側コネクタ２９が一体成形により設けられている。
そして、基板側コネクタ２８とカバー側コネクタ２９とは、モータカバー２１と基板カバー２２とが嵌合された際に、同時に嵌合されて相互の電気的接続がなされるようになっている。
基板カバー２２には、カバー側コネクタ２９と電気的に接続されている外部コネクタ接続部３０がカバー側コネクタ２９同様に一体成形されて設けられており、この外部コネクタ接続部３０に図示されない外部コネクタが接続されることで、外部から回路基板４へ対する電源電圧、駆動信号の供給が可能となっている（図４参照）。
【００１８】
次に、基板側コネクタ２８、カバー側コネクタ２９及び外部コネクタ接続部３０について、図６乃至図１１を参照しつつより具体的に説明することとする。
最初に、本発明の実施の形態における第２のコネクタとしてのカバー側コネクタ２９について説明すれば、カバー側コネクタ２９は、基板カバー２２の基板カバー基底部２２ａにインサート成形により設けられた４つのプラグターミナル４０ａ〜４０ｄと、この４つのプラグターミナル４０ａ〜４０ｄの周囲に環状に基板カバー２２と一体に立設形成された周壁４１とを有して構成されたものとなっている（図６及び図１０参照）。
この構成例における周壁４１は、その平面形状が長方形の枠状に形成されて、４つのプラグターミナル４０ａ〜４０ｄを囲むように設けられたものとなっている（図１０参照）。
【００１９】
また、プラグターミナル４０ａ〜４０ｄは、後述する外部コネクタ接続部３０の外部接続用プラグターミナル４０ａ〜４０ｄと一体成形されたものとなっており、本発明の実施の形態においては、図１１に示されたように、大凡短冊状に形成されたプラグターミナル４０ａ〜４０ｄの基部側において、外部接続用プラグターミナル４２ａ〜４２ｄの基部側が、プラグターミナル４０ａ〜４０ｄを含む平面に対して外部接続用プラグターミナル４２ａ〜４２ｄの基部側を含む平面とが直交するように設けられたものとなっている。
すなわち、外部接続用プラグターミナル４２ａ〜４２ｄは、大凡短冊状に形成され、外部の図示されないコネクタのジャックに嵌合するジャック嵌合部４３ａと、同じく大凡短冊状に形成され、プラグターミナル４０ａ〜４０ｄの基部側に接続された接続部４３ｂとが、折曲部４３ｃを介して連結された形状となっているもので、ジャック嵌合部４３ａを含む平面と、接続部４３ｂを含む平面部とが平行するように、かつ、双方の平面に対して折曲部４３ｃが直交するように形成されたものとなっている（図１１参照）。
【００２０】
第３のコネクタとしての外部コネクタ接続部３０は、基板カバー２２の環状周壁２２ｂの外周面に一体に突設成形されたコネクタ接続部ハウジング３０ａと、このコネクタ接続部ハウジング３０ａ内に配設された外部接続用プラグターミナル４２ａ〜４２ｄとを有して構成されたものとなっている（図４、図６及び図１１参照）。外部接続用プラグターミナル４２ａ〜４２ｄは、既に述べたようにプラグターミナル４０ａ〜４０ｄと一体に成形されており、基板カバー２２の成形時にインサート成形により設けられるものとなっている。
【００２１】
一方、第１のコネクタとしての基板側コネクタ２８は、カバー側コネクタ２９の周壁４１の内側に嵌挿可能に外観がほぼ直方体状に形成された嵌合ハウジング部２８ａと、この嵌合ハウジング部２８ａから延設されて形成された固着部２８ｂとを有して、全体の外観形状が大凡直方体状をなすもので、プラグターミナル４０ａ〜４０ｄがインサート成形により設けられたものとなっている（図７及び図８参照）。
嵌合ハウジング部２８ａと固着部２８ｂとの間には、嵌挿溝２８ｃが形成されており、カバー側コネクタ２９との嵌合の際に、その周壁４１の一部が入り込むようになっている（図１参照）。
【００２２】
固着部２８ｂと嵌合ハウジング部２８ａとが連結されている部位２８ｄ側の基板側コネクタ２８の平面部分のほぼ中央付近には、モータカバー２１とのねじ止めのためのねじ穴（図示せず）が形成されており、基板側コネクタ２８は、このねじ穴でモータカバー２１にもねじ止めされるようになっている。
そして、モータカバー２１にねじ止めされる面と反対側となる固着部２８ｂの端面と嵌合ハウジング部２８ａの端面は、いずれも同一の平面内に位置するようになっており、固着部２８ｂの端面は、回路基板４の縁近傍にねじ止めされるようになっている（図６、図７及び図８参照）。
また、回路基板４に固着される固着部２８ｂの端面と同一平面内に位置する嵌合ハウジング部２８ａの端面は、先に述べたカバー側コネクタ２９のプラグターミナル４０ａ〜４０ｄの挿入、着脱面となっており、嵌合ハウジング部２８ａ及び固着部２８ｂ内部には、次述するようなジャックターミナル４５ａ〜４５ｄがインサート成形により設けられたものとなっている。
【００２３】
この構成例におけるジャックターミナル４５ａ〜４５ｄは、例えば、回路基板４に固着される固着部２８ｂの端面と同一平面内に位置する嵌合ハウジング部２８ａの端面近傍の部位が、プラグターミナル４０ａ〜４０ｄが嵌挿されるように大凡扁平封筒状に形成されてなり、この大凡扁平封筒状の部位４６ａの一部から短冊状に形成された部位４６ｂが、カバー側コネクタ２９が着脱される嵌合ハウジング部２８ａの端面と反対側の端面近傍まで延設されている（図６及び図９参照）。そして、この短冊状の部位４６ｂの端部からは、基板接続片４７が延設されている。すなわち、この基板接続片４７は、短冊状に形成された部位４６ｂの端部が固着部２８ｂ側へ直交するように延設され、かつ、固着部２８ｂからその一部が突出するような長さに形成された部位４７ａと、固着部２８ｂから突出した部分の端部で固着部２８ｂの回路基板４側の端面方向へ直角に折り返された部位４７ｂとを有してなるものとなっている（図６及び図９参照）。ここで、部位４７ｂの端部は、固着部２８ｂが回路基板４に固着される際に、回路基板４に半田付け可能な長さとなっている（図６及び図７参照）。
【００２４】
次に、かかる構成におけるモータカバー２１と基板カバー２２との組み付けによる基板側コネクタ２８とカバー側コネクタ２９の嵌合手順について、図１及び図６を参照しつつ説明する。
まず、モータカバー２１と基板カバー２２とは、予めその周方向における相互の組み付け位置が定められており、例えば、周縁の適宜な箇所にマーキングが施されているものとする。ここで、予め設定されている組み付け位置とは、モータカバー２１基板カバー２２を相互に嵌合させた場合に、同時に基板側コネクタ２８とカバー側コネクタ２９とがそのまま嵌合する位置である。
また、前提として、モータカバー２１には、ステータ２やロータ３などが取着されると共に、回路基板４が既に取着されており、更に、Ｏリング２３が巻装されているものとする。
【００２５】
かかる前提の下、モータカバー２１と基板カバー２２の周方向における相対位置を予め設定されている所定の箇所に合わせ、次いで、モータカバー２１の第１の環状周壁２１ｂの部分を基板カバー２２内部へ徐々に押し込んでゆく。このモータカバー２１の基板カバー２２への挿入に伴い、基板側コネクタ２８とカバー側コネクタ２９とが嵌合を始め、カバー側コネクタ２９の周壁４１の頂部が基板側コネクタ２８の嵌挿溝２８ｃの底部に当接した状態で、モータカバー２１と基板カバー２２との嵌合及び基板側コネクタ２８とカバー側コネクタ２９との嵌合が完了することとなる（図１及び図６参照）。
そして、外部コネクタ接続部３０に、図示されない外部のコネクタを嵌合させることで、外部からの電源電圧、駆動信号の供給が可能となる。
【００２６】
次に、第２の構成例について、図１２乃至図１６を参照しつつ説明する。なお、図１乃至図１１に示された第１の構成例と同一の構成要素については、同一の符号を付してその詳細な説明を省略し、以下、異なる点を中心に説明する。
この第２の構成例におけるカバー側コネクタ２９Ｂは、その周壁４１Ｂの一部が開放面となっている点が先の第１の構成例と異なるもので、他の構成は、基本的には、図６、図１０及び図１１を参照しつつ説明した第１の構成例におけるカバー側コネクタ２９と同一である。
すなわち、具体的には、この第２の構成例におけるカバー側コネクタ２９Ｂの周壁４１Ｂは、先の第１の構成例における基板側コネクタ２８の嵌挿溝２８ｃに対応する部位が省略されて開放面４８となっている（図１２及び図１３参照）。そして、これに対応して、この第２の構成例における基板側コネクタ２８Ｂは、図７及び図８に示された基板側コネクタ２８の嵌挿溝２８ｃが省略された構成となっている（図１４乃至図１６参照）。
【００２７】
かかる構成例においても、モータカバー２１と基板カバー２２の嵌合による組み付け完了と同時に基板側コネクタ２８Ｂとカバー側コネクタ２９Ｂの嵌合が完了する点は、先に第１の構成例で説明したと同様である。
なお、この構成例においては、周壁４１Ｂの第１の構成例における基板側コネクタ２８の嵌挿溝２８ｃに対応する位置を開放面４８としたが、反対側の部位を開放面としても勿論良いものである。
【００２８】
次に、第３の構成例について、図１７及び図１８を参照しつつ説明する。なお、図１乃至図１１に示された第１の構成例と同一の構成要素については、同一の符号を付してその詳細な説明を省略し、以下、異なる点を中心に説明する。
この第３の構成例におけるカバー側コネクタ２９Ｃは、周壁４１Ｃの配置が以下に述べるように第２の構成例と異なるもので、他の構成は、基本的には、図６、図１０及び図１１を参照しつつ説明した第１の構成例におけるカバー側コネクタ２９と同一である。
【００２９】
すなわち、具体的には、この第３の構成例におけるカバー側コネクタ２９Ｃの周壁４１Ｃは、プラグターミナル４０ａ〜４０ｄの配設方向（図１７において紙面左右方向）が開放面４８ａ，４８ｂとされたものとなっている（図１７及び図１８参照）。
なお、この場合、基板側コネクタ２８は、先に図６、図７、図８及び図９で説明した第１の構成例と同一で良い。
そして、かかる構成例においても、モータカバー２１と基板カバー２２の嵌合による組み付け完了と同時に基板側コネクタ２８とカバー側コネクタ２９Ｃの嵌合が完了する点は、先に第１の構成例で説明したと同様である。
【００３０】
次に、第４の構成例について、図１９乃至図２４を参照しつつ説明する。なお、図１乃至図１１に示された第１の構成例と同一の構成要素については、同一の符号を付してその詳細な説明を省略し、以下、異なる点を中心に説明する。
この第４の構成例におけるカバー側コネクタ２９Ｄは、第１の構成例におけるカバー側コネクタ２９の周壁４１（図１０参照）を省略した構成となっている点（図１９乃至図２１参照）が先の第１の構成例と異なるもので、他の構成は、基本的には、図６、図１０及び図１１を参照しつつ説明した第１の構成例におけるカバー側コネクタ２９と同一である。
【００３１】
カバー側コネクタ２９Ｄが上述のように周壁４１（図１０参照）を省略した構成となっていることに鑑みて、この構成例においては、基板側コネクタ２８Ｄを基板カバー２２にねじ止めすることで、基板側コネクタ２８Ｄとカバー側コネクタ２９Ｄとの嵌合によりプラグターミナル４０ａ〜４０ｄへかかる機械的負担を軽減できるような構成としている。
すなわち、基板側コネクタ２８Ｄは、第１の構成例における基板側コネクタ２８の嵌挿溝２８ｃ（図７及び図８参照）が省略されると共に、嵌合ハウジング部２８ａのジャックターミナル４５ａ〜４５ｄの配設方向における両端部に、ねじ止め突起４９ａ，４９ｂが突出形成されており、それぞれのねじ止め突起４９ａ，４９ｂには、図示されないねじが螺合する螺合孔５０穿設されたものとなっている（図２２及び図２３参照）。なお、上述した点を除けば、基板側コネクタ２８Ｄは、図７乃至図９で説明した第１の構成例における基板側コネクタ２８と基本的に同一の構成を有してなるものである。
【００３２】
そして、基板カバー２２には、カバー側コネクタ２９Ｄの両脇において、上述の螺合孔５０に対応する位置にねじ挿通孔５１が穿設されたものとなっている（図２１参照）。
このねじ止め突起４９ａ，４９ｂによる基板側コネクタ２８Ｄの基板カバー２２へのねじ止めは、モータカバー２１と基板カバー２２との嵌合の前に、ねじ止め突起４９ａ，４９ｂに予め図示されないねじを螺合させておき、モータカバー２１と基板カバー２２との嵌合後、すなわち、基板側コネクタ２８Ｄとカバー側コネクタ２９Ｄとの嵌合後に、基板カバー２２の裏面側に突出したねじの部分に図示されないナットを螺合させて締めつけることによって行われる。
かかる構成において、モータカバー２１と基板カバー２２の嵌合による組み付け完了と同時に基板側コネクタ２８Ｄとカバー側コネクタ２９Ｄの嵌合が完了する点は、先に第１の構成例で説明したと同様である。
【００３３】
最後に、第５の構成例について、図２５乃至図３１を参照しつつ説明する。なお、図１乃至図１１に示された第１の構成例と同一の構成要素については、同一の符号を付してその詳細な説明を省略し、以下、異なる点を中心に説明する。
この第５の構成例におけるカバー側コネクタ２９Ｅは、先の図１９乃至図２１に示されたカバー側コネクタ２９Ｄの構成に、さらに、ガイド片５２を設けた構成となっているものである。
すなわち、プラグターミナル４０ａ〜４０ｄ間の適宜な位置、より具体的には、この構成例においては、４つのプラグターミナル４０ａ〜４０ｄの中の中央の２つのプラグターミナル４０ｂ，４０ｃの間であって、一方のプラグターミナル４０ｃ側にやや近い位置において、基板カバー２２にガイド片５２が立設されたものとなっている（図２５乃至図２７参照）。このガイド片５２は、基板側コネクタ２８Ｅとカバー側コネクタ２９Ｅとの嵌合をより円滑にするためのもので、その全体外観形状は、大凡短冊状をなし、その厚み及び幅は、同様に大凡短冊状に形成されているプラグターミナル４０ａ〜４０ｄの厚み、幅よりやや大きく設定されたものとなっており、プラグターミナル４０ａ〜４０ｄと平行に設けられたものとなっている（図２５乃至図２７参照）。
【００３４】
一方、基板側コネクタ２８Ｅは、上述のガイド片５２に対応して、嵌合ハウジング部２８ａにガイド溝５３が形成されており、基板側コネクタ２８Ｅとカバ側コネクタ２９Ｅとの嵌合に際して、先のガイド片５２がガイド溝５３内へ嵌挿されて、基板側コネクタ２８Ｅとカバー側コネクタ２９Ｅとが確実に嵌合されるようになっている。
この構成例においては、ガイド片５２をプラグターミナル４０ｂ，４０ｃの間に設けたが、勿論この位置に限定される必要はなく、他の任意の位置でよいものである。さらに、ガイド片５２の形状も上述した短冊状に限定される必要はなく、他の任意の形状に形成されてもよいものである。
【００３５】
なお、上述した基板側コネクタ２８，２８Ｂ，２8Ｄ，２８Ｅを、基板カバー２２に設け、対応するカバー側コネクタ２９，２９Ｂ，２９Ｃ，２９Ｄ，２９Ｅを、回路基板４に取り付けるようにしても良いことは勿論である。
【図面の簡単な説明】
【００３６】
【図１】本発明の実施の形態におけるブラシレスモータの第１の構成例を示す縦断面図である。
【図２】図１に示されたブラシレスモータの送風ファン取り付け前の状態における平面図である。
【図３】図１に示されたブラシレスモータの送風ファン取り付け前の状態における側面図である。
【図４】図１に示されたブラシレスモータのケーシングの外部コネクタ接続部側における側面図である。
【図５】図１に示されたブラシレスモータの底面図である。
【図６】ケーシングの組み立て手順を説明するための主要部の分解状態における縦断面図である。
【図７】図１に示されたブラシレスモータに用いられる基板側コネクタの回路基板への取り付け状態における一部断面を含む側面図である。
【図８】図１に示されたブラシレスモータに用いられる基板側コネクタの回路基板への取り付け状態における底面図である。
【図９】図１に示されたブラシレスモータに用いられる基板側コネクタのジャックターミナルの構成例を示す全体斜視図である。
【図１０】図１に示されたブラシレスモータに用いられるカバー側コネクタの平面図である。
【図１１】図１に示されたブラシレスモータに用いられるカバー側コネクタのプラグターミナル及び外部コネクタ接続部のプラグターミナルの構成例を示す全体斜視図である。
【図１２】本発明の実施の形態におけるブラシレスモータの第２の構成例におけるカバー側コネクタの平面図である。
【図１３】図１２におけるＡＡ線断面図である。
【図１４】本発明の実施の形態におけるブラシレスモータの第２の構成例における基板側コネクタの一部断面を含む側面図である。
【図１５】本発明の実施の形態におけるブラシレスモータの第２の構成例における基板側コネクタの回路基板への取り付け状態における底面図である。
【図１６】図１５のＢＢ線断面図である。
【図１７】本発明の実施の形態におけるブラシレスモータの第３の構成例におけるカバー側コネクタの平面図である。
【図１８】図１７のＣＣ線断面図である。
【図１９】本発明の実施の形態におけるブラシレスモータの第４の構成例におけるカバー側コネクタの側面図である。
【図２０】図２１のＤＤ線断面図である。
【図２１】本発明の実施の形態におけるブラシレスモータの第４の構成例におけるカバー側コネクタの平面図である。
【図２２】本発明の実施の形態におけるブラシレスモータの第４の構成例における基板側コネクタの回路基板への取り付け状態における一部断面を含む側面図である。
【図２３】本発明の実施の形態におけるブラシレスモータの第４の構成例における基板側コネクタの回路基板への取り付け状態における底面図である。
【図２４】図２３のＥＥ線断面図である。
【図２５】本発明の実施の形態におけるブラシレスモータの第５の構成例におけるカバー側コネクタの一部断面を含む正面図である。
【図２６】図２７のＦＦ線断面図である。
【図２７】本発明の実施の形態におけるブラシレスモータの第５の構成例におけるカバー側コネクタの平面図である。
【図２８】本発明の実施の形態におけるブラシレスモータの第５の構成例における基板側コネクタの回路基板への取り付け状態における一部断面を含む側面図である。
【図２９】本発明の実施の形態におけるブラシレスモータの第５の構成例における基板側コネクタの回路基板への取り付け状態における背面図である。
【図３０】本発明の実施の形態におけるブラシレスモータの第５の構成例における基板側コネクタの回路基板への取り付け状態における底面図である。
【図３１】図３０のＧＧ線断面図である。
【符号の説明】
【００３７】
１…ケーシング
２…ステータ
３…ロータ
２１…モータカバー
２１ｂ…第１の環状周壁
２２…基板カバー
２２ｂ…第２の環状周壁
２８…基板側コネクタ
２８ａ…嵌合ハウジング部
２８ｂ…固着部
２８ｃ…溝
２９…カバー側コネクタ
３０…外部コネクタ接続部
【図１】
2005261087.tif 000003
【図２】
2005261087.tif 000004
【図３】
2005261087.tif 000005
【図４】
2005261087.tif 000006
【図５】
2005261087.tif 000007
【図６】
2005261087.tif 000008
【図７】
2005261087.tif 000009
【図８】
2005261087.tif 000010
【図９】
2005261087.tif 000011
【図１０】
2005261087.tif 000012
【図１１】
2005261087.tif 000013
【図１２】
2005261087.tif 000014
【図１３】
2005261087.tif 000015
【図１４】
2005261087.tif 000016
【図１５】
2005261087.tif 000017
【図１６】
2005261087.tif 000018
【図１７】
2005261087.tif 000019
【図１８】
2005261087.tif 000020
【図１９】
2005261087.tif 000021
【図２０】
2005261087.tif 000022
【図２１】
2005261087.tif 000023
【図２２】
2005261087.tif 000024
【図２３】
2005261087.tif 000025
【図２４】
2005261087.tif 000026
【図２５】
2005261087.tif 000027
【図２６】
2005261087.tif 000028
【図２７】
2005261087.tif 000029
【図２８】
2005261087.tif 000030
【図２９】
2005261087.tif 000031
【図３０】
2005261087.tif 000032
【図３１】
2005261087.tif 000033